(57)【要約】【課題】被香付与物への香の付与を、ユーザーが被香付与物を手にした後、ユーザーの意思で行うことができるようにする。【解決手段】開閉蓋付容器１（１８）内に被香付与物４を収容し、前記容器１（１８）内に配置した香部材７により、蓋３を閉じた状態で容器１（１８）内に放香させ、被香付与物４に香を付与する。【選択図】  図１
2004323039.tif 000002
【特許請求の範囲】
【請求項１】
開閉蓋付容器内に被香付与物を収容し、前記容器内に配置した香部材により、蓋を閉じた状態で容器内に放香させ、被香付与物に香を付与することを特徴とする被香付与物への香付与方法。
【請求項２】
前記香部材は、容器の内面の任意の箇所に配置されていることを特徴とする請求項１に記載の被香付与物への香付与方法。
【請求項３】
前記香部材は、被香付与物の支持部材に配置されていることを特徴とする請求項１に記載の被香付与物への香付与方法。
【請求項４】
前記被香付与物は、フィルム、不織布又は紙であることを特徴とする請求項１，２又は３に記載の被香付与物への香付与方法。
【請求項５】
被香付与物を収容する開閉蓋を備えた容器本体内に、気密性素材で形成された開封可能な包装体に香料を封入した香部材が配置されていることを特徴とする香付与用容器。
【請求項６】
前記容器本体は、通気性遮断手段が施されていることを特徴とする請求項５に記載の香付与用容器。
【請求項７】
前記被香付与物は、フィルム、不織布又は紙であることを特徴とする請求項５又は６に記載の香付与用容器。
【発明の詳細な説明】
【０００１】
【発明の属する技術分野】
本発明は、例えば、フィルム等の被香付与物への香付与方法及び被香付与物に香を付与する香付与用容器に関する。
【０００２】
【従来の技術】
理美容業界の職場ではヘアカラー、パーマ液、トリートメント等にて各種薬剤液が多用され、その薬剤の定着のために一定時間熱をかけたり、蒸したりする。この時、前記薬剤から発生する種々の臭気が満ちあふれて、お客、従業員の不快感は相当なものになっている。このような不快感を解消するために、芳香を発して不快臭をマスキングし快適な環境を形成するといったことが考えられ、かかるマスキング手段の１つとして、理美容業界で多く使用されているヘアラップ材に香を付与し、このヘアラップ材を使用して周囲に香料雰囲気を漂わせるといったことが考えられる。
【０００３】
従来、香が付与されたラップ材として、不織布に、硬膜化する樹脂を主成分とし香料を添加した樹脂混和物を含浸させた芳香ラップ材が提案されている（例えば、特許文献１参照）。また、フィルム内に芳香剤を混入させた芳香ラップ材も提案されている（例えば、特許文献２参照）。
【０００４】
【特許文献１】
特開２００１−８１６６８号公報
【０００５】
【特許文献２】
特開平７−３０４５号公報
【０００６】
【発明が解決しようとする課題】
前記特許文献１及び２で提案されているラップ材は、いずれもその製造の工程において、香料の臭気が溢れ、他の製品に臭気による悪影響を及ぼすだけでなく、ユーザーが手にする迄の輸送工程、在庫工程等においても、周囲に臭いが漂い、臭気による悪影響を及ぼすことがあるといった問題がある。また、香料の放出の開始の調整ができないので、長期の在庫保存ができず、また、放香の強弱の調整ができないので、必要以上の香が放出され環境を悪くさせたり、必要な香が放出されず、マスキングとしての機能を得られない場合があるといった問題がる。
【０００７】
本発明の目的とするところは、フィルムを始めとするラップ材等の被香付与物への香の付与を、ユーザーが被香付与物を手にした後、ユーザーの意思で行うことができるようにし、ユーザーが手にする迄の製造工程、輸送工程、在庫工程等において、周囲に臭いが漂い、臭気による悪影響を及ぼすことを防止するとともに、長期の在庫保存を可能にした被香付与物への香付与方法及び香付与用容器を提供するところにある。
【０００８】
【課題を解決するための手段】
上記の目的を達成するために、本発明に係る被香付与物への香付与方法は、開閉蓋付容器内に被香付与物を収容し、前記容器内に配置した香部材により、蓋を閉じた状態で容器内に放香させ、被香付与物に香を付与することを特徴とする。
【０００９】
前記香部材は、容器の内面の任意の箇所に配置されていてもよく、或いは被香付与物の支持部材に配置されていてもよい。また、前記被香付与物としては、フィルムであるとよい。
【００１０】
かかる構成から、開閉蓋付容器内に被香付与物を収容し、前記容器内に配置した香部材により、蓋を閉じた状態で容器内に放香させ、被香付与物に香を付与するので、被香付与物への香の付与を、ユーザーが被香付与物を手にした後、ユーザーの意思で行うことが可能となり、ユーザーが手にする迄の製造工程、輸送工程、在庫工程等において、周囲に臭いが漂い、臭気による悪影響を及ぼすことを防止することができる。そして、前記被香付与物への香の付与は、開閉蓋付容器内に被香付与物を収容し、蓋を閉じた状態で容器内に配置した香部材により放香させて行うので、容器内の被香付与物へ香を確実に付与することができるとともに、容器からの被香付与物の取り出し時以外は、容器の蓋を閉じておくことにより、容器外への香の放出を押さえることができ、周囲への臭気による悪影響を少なくすることができ、また、容器内における香を長時間持続させることができる。
【００１１】
また、前記香部材が、容器の内面の任意の箇所、或いは被香付与物の支持部材に配置されていると、容器内での放香を容易に行うことができ、取り扱いも容易となる。また、前記被香付与物がフィルム、不織布又は紙であると、これらのラップ材で包装或いは被覆した周囲にラップ材に付着した香が漂い、周囲の人に香を楽しませ、また、周囲に嫌な臭いがあるときは、この香が嫌な臭いをマスキングし、嫌な臭いによる不快感を解消することができる。
【００１２】
また、本発明に係る香付与用容器は、被香付与物を収容する開閉蓋を備えた容器本体内に、気密性素材で形成された開封可能な包装体に香料を封入した香部材が配置されていることを特徴とする。
【００１３】
前記香付与用容器は、通気性遮断手段が施されていることが好ましい。また、前記被香付与物としては、フィルム、不織布又は紙であるとよい。
【００１４】
かかる構成から、香付与用容器内に被香付与物を収容し、該香付与用容器内に配置した香部材の包装体を開封して、蓋を閉じることにより、香部材から放出された香が被香付与物に付着し、被香付与物に香が付与される。前記被香付与物への香の付与は、前記のように、香付与用容器内に配置した香部材の包装体を開封して行うので、ユーザーが被香付与物を手にした後、ユーザーの意思で行うことが可能となり、ユーザーが手にする迄の製造工程、輸送工程、在庫工程等において、周囲に臭いが漂い、臭気による悪影響を及ぼすことを防止することができる。そして、前記被香付与物への香の付与は、前記のように、香付与用容器内に被香付与物を収容し、蓋を閉じた状態で香付与容器内に配置した香部材により放香させて行うので、香付与用容器内の被香付与物へ香を確実に付与することができるとともに、香付与用容器からの被香付与物の取り出し時以外は、香付与用容器の蓋を閉じておくことにより、香付与用容器外への香の放出を押さえることができ、周囲への臭気による悪影響を少なくすることができ、また、香付与用容器内における香を長時間持続させることができる。また、包装体を開封しない限り包装体に封入されている香料は放出しないので、長期の在庫保存が可能となる。
【００１５】
また、前記香付与用容器に、通気性遮断手段が施されていると、香付与用容器からの香の放出が効果的に押さえられるので、香付与用容器内に被香付与物を収容し、蓋を閉じた状態で香付与用容器内に配置した香部材により放香させて被香付与物に香を付与したとき、香付与用容器内の被香付与物へ香をより一層確実に付与することができるとともに、香付与用容器からの被香付与物の取り出し時以外は、香付与用容器の蓋を閉じておくことにより、香付与用容器外周囲への臭気による悪影響を極力少なくすることができ、また、香付与用容器内における香をより一層長時間持続させることができる。また、前記被香付与物がフィルム、不織布又は紙であると、これらのラップ材で包装或いは被覆した周囲に、ラップ材に付着した香が漂い、周囲の人に香を楽しませ、また、周囲に嫌な臭いがあるときは、この香が嫌な臭いをマスキングし、嫌な臭いによる不快感を解消することができる。
【００１６】
【発明の実施の形態】
本発明に係る被香付与物への香付与方法の実施の形態の第１例を説明すると、本例では、内面の任意の箇所に香部材を配置した開閉蓋付容器内に被香付与物を収容し、前記香部材により、蓋を閉じた状態で容器内に放香させ、被香付与物に香を付与するようにする。
【００１７】
このようにすることにより、被香付与物への香の付与を、ユーザーが被香付与物を手にした後、ユーザーの意思で行うことが可能となり、ユーザーが手にする迄の製造工程、輸送工程、在庫工程等において、周囲に臭いが漂い、臭気による悪影響を及ぼすことを防止することができる。そして、前記被香付与物への香の付与は、開閉蓋付容器内に被香付与物を収容し、蓋を閉じた状態で容器内に配置した香部材により放香させて行うので、容器内の被香付与物へ香を確実に付与することができるとともに、容器からの被香付与物の取り出し時以外は、容器の蓋を閉じておくことにより、容器外への香の放出を押さえることができ、周囲への臭気による悪影響を少なくすることができ、また、容器内における香を長時間持続させることができる。
【００１８】
図１乃至図３は前記被香付与物への香付与方法の実施の形態の第１例を実施する香付与用容器の実施の形態の一例を示すもので、図１は開閉蓋を開いた状態を示す香付与用容器の斜視図、図２は香付与用容器内に配置される香部材の一例を示す拡大断面図、図３は図２の香部材の開封状態を示す説明図である。
【００１９】
図において、１は香付与用容器、２は容器本体、３は開閉蓋である。前記香付与用容器１は、本例では被香付与物４がラップフィルム５である場合に用いられものとなっており、紙で製造されている。この紙製の香付与用容器１には、通気性遮断手段を施してもよい。通気性遮断手段を施した香付与用容器１として、ポバール樹脂、ラテックス樹脂、アクリル樹脂等を含浸した含浸紙、或いはポリエチレン、ポリプロピレン等で１０〜３０μの厚みでラミネートした樹脂ラミネート紙を容器素材として用いたものを例示することができるが、これらに限定されない。また、香付与用容器１の素材も紙に限定されるものでないことは勿論である。前記開閉蓋３の縁には、香付与用容器１に収容した被香付与物４であるラップフィルム５をカットする刃部６が設けられている。
【００２０】
７は前記香付与用容器１内に配置されている香部材である。この香部材７は、気密性素材で形成された開封可能な包装体８に香料が封入された構成となっている。本例では、図２に示すように、前記香料をスポンジ等の多孔性物質或いはジェル状の吸液樹脂といった香料保持部９に含浸或いは混合して保持させており、この香料保持部９を、不織布１０の内面にポリエチレン層１１を積層した被覆材１２で被覆し、この被覆材１２で被覆した香料保持部９を前記気密性素材で形成された開封可能な包装体８に封入した構成となっている。包装体８を形成する気密性素材として延伸ポリプロピレン（ＯＰＰ）、ＥＶＯＨ、アルミ箔等が挙げられるが、これらに限定されるものではない。
【００２１】
前記包装体８はその上面に開口部１３が形成されており、この開口部１３は包装体８の上面に剥離且つ再接着可能に接着された閉塞片１４により密閉されている。前記閉塞片１４は気密性素材で形成され片面に粘着剤層１５を有している。前記閉塞片１４として、本例ではアルミ箔が使用されている。
【００２２】
前記のように構成された香部材７は、前記香付与用容器１内に配置されているが、その配置個所にあっては特に限定されるものではない。本例では、取り扱いの容易さから、香付与用容器１の開閉蓋３の内面に接着剤により接着して取り付けられている。
【００２３】
前記香付与用容器１内に収容され、香を付与される被香付与物４は、本例では前記のようにラップフィルム５であるが、紙や不織布又はこれらに樹脂を含浸もしくは積層したもの等であってもよい。ラップフィルム５の素材として、主に、ビニール系、塩化ビニリデン系、ポリエチレンやポリプロピレン等のポリオレフィン系樹脂が使用される。なお、ここでラップフィルム５は単層構造であっても、積層構造であっても構わない。また、前記ラップフィルム５は、適宜着色顔料を混合して色フィルムとし、例えば、香の種類毎にラップフィルム５の色を変えることもできる。
【００２４】
上記のように構成される香付与用容器１による被香付与物４であるラップフィルム５への香の付与は次のようにして行う。
【００２５】
先ず、香付与用容器１の開閉蓋３を開け、開閉蓋３の内面に取り付けられている香部材７の閉塞片１４を剥がして包装体８の開口部１３を開口する。香部材７の包装体８の開口部１３を開口したら、前記ラップフィルム５は香付与用容器１に収容し、前記開閉蓋３を閉じて香付与用容器１を密閉する。このラップフィルム５にあっては、必ずしも香部材７の包装体８の開口部１３を開口した後に香付与用容器１に収容するものではなく、ラップフィルム５を香付与用容器１内に予め収容しておき、これに香を付与する必要が生じた時点で前記香部材７の包装体８の開口部１３を開口してもよいことは勿論である。
【００２６】
このようにすると、包装体８に封入されている香料の香が、ポリエチレン層１１、不織布１０からなる被覆材１２を透過して前記開口部１３から放出され、香付与用容器１に充満して、前記ラップフィルム５に付着する。このようにして、ラップフィルム５に香が付与されるが、このとき、前記香付与用容器１に通気性遮断手段が施されていると、香付与用容器１から外部への香の放出が効果的に押さえられるので、容器内の被香付与物へ香をより一層確実に付与することができるとともに、容器からの被香付与物の取り出し時以外は、容器の蓋を閉じておくことにより、容器外周囲への臭気による悪影響を極力少なくすることができ、また、容器内における香をより一層長時間持続させることができるものとなる。
【００２７】
また、香部材７の閉塞片１４の開封に際し、閉塞片１４の剥がし量を加減して、包装体８の開口部１３の開口面積を調節することにより、包装体８から放出される香の強弱や持続時間を調整することができる。また、前記ラップフィルム５の長時間の不使用が続く場合は、開封した閉塞片１４を包装体８に完全に再接着して開口部１３を閉じておけば、包装体８からの香の放出が押さえられるので、香を長時間持続させることができる。
【００２８】
また、前記包装体８に封入されている香料は、スポンジ等の多孔性物質或いはジェル状の吸液樹脂といった香料保持部９に含浸或いは混合して保持させており、更には、この香料保持部９を、不織布１０の内面にポリエチレンをラミネートしたポリエチレン層１１を積層した被覆材１２で被覆しているので、香の放出の進行を遅らせることができ、香を長時間持続させることができる。
【００２９】
次に、本発明に係る被香付与物への香付与方法の実施の形態の第２例を説明する。本例は、被香付与物の支持部材に香部材を配置しておき、この被香付与物を開閉蓋付容器内に収容し、前記香部材により、蓋を閉じた状態で容器内に放香させるようにする。
【００３０】
本例を図４により説明すると、本例の被香付与物４も前記第１例と同様にラップフィルム５とし、支持部材１６としてラップフィルム５が巻き付けられている紙管１７を利用し、この紙管１７の内側に前記第１例と同様の香部材７が接着剤により取り付けられている。
【００３１】
このようにして香部材７が取り付けられたラップフィルム５は、開閉蓋付容器１８に収容される。開閉蓋付容器１８は、ラップフィルム５を収容したとき、ラップフィルム５の端部と開閉蓋付容器１８の側壁との間に空気が十分流れる空間Ｓが形成される大きさとなっている。この開閉蓋付容器１８は、前記第１例の香付与用容器１と香部材７の配置以外は同様に構成されているので、同じ符号を付し、説明は省略する。
【００３２】
さて、前記ラップフィルム５への香の付与にあっては、先ず、ラップフィルム５が巻き付けられている紙管１７に取り付けられている香部材７の閉塞片１４を剥がして包装体８の開口部１３を開口し、該ラップフィルム５を開閉蓋付容器１８に収容し、前記開閉蓋３を閉じて密閉する。
【００３３】
このようにすると、包装体８に封入されている香料の香が、開口部１３から放出し、開閉蓋付容器１８に充満して、前記ラップフィルム５に付着する。他の作用は前記第１例と同様なので、第１例の説明を援用し、その説明を省略する。
【００３４】
なお、第１例、第２例とも、被香付与物４がラップフィルム５である場合を説明しているが、紙や不織布を始めとする一般包装材料、ちり紙、ハンカチーフ等であってもよく、特に限定されるものではない。
【００３５】
【発明の効果】
以上のように本発明によれば、開閉蓋付容器内に被香付与物を収容し、前記容器内に配置した香部材により、蓋を閉じた状態で容器内に放香させて被香付与物に香を付与するので、被香付与物への香の付与を、ユーザーが被香付与物を手にした後、ユーザーの意思で行うことが可能となり、ユーザーが手にする迄の製造工程、輸送工程、在庫工程等において、周囲に臭いが漂い、臭気による悪影響を及ぼすことを防止することができ、そして、前記被香付与物への香の付与は、開閉蓋付容器内に被香付与物を収容し、蓋を閉じた状態で容器内に配置した香部材により放香させるて行うので、容器内の被香付与物へ香を確実に付与することができるとともに、容器からの被香付与物の取り出し時以外は、容器の蓋を閉じておくことにより、容器外への香の放出を押さえることができ、周囲への臭気による悪影響を少なくすることができ、また、容器内における香を長時間持続させることができる。
【図面の簡単な説明】
【図１】本発明に係る被香付与物への香付与方法の実施の形態の第１例を実施する香付与用容器の実施の形態の一例を示す斜視図。
【図２】香付与用容器内に配置される香部材の一例を示す拡大断面図。
【図３】図２の香部材の開封状態を示す説明図。
【図４】本発明に係る被香付与物への香付与方法の実施の形態の第２例の実施の状態を示す説明図。
【符号の説明】
１  香付与用容器
２  容器本体
３  開閉蓋
４  被香付与物
５  ラップフィルム
６  刃部
７  香部材
８  包装体
９  香料保持部
１０  不織布
１１  ポリエチレン層
１２  被覆材
１３  開口部
１４  閉塞片
１５  粘着剤層
１６  支持部材
１７  紙管
１８  開閉蓋付容器
Ｓ  空間
【図１】
2004323039.tif 000003
【図２】
2004323039.tif 000004
【図３】
2004323039.tif 000005
【図４】
2004323039.tif 000006